(57)【特許請求の範囲】
【請求項１】
非常時に蓄電池を電源として点灯する非常点灯用ＬＥＤと、
前記蓄電池の充電状態を点灯状態により表示する表示用ＬＥＤとが器具本体の同じ面に設けられ、
前記非常点灯用ＬＥＤ及び前記表示用ＬＥＤの前側に配置されるように前記器具本体に取り付けられた透光性部材を備え、
前記透光性部材の表面は平板状に形成され、
前記透光性部材の内側面に、前記非常点灯用ＬＥＤの照射光を拡散させる第１広角レンズと、前記表示用ＬＥＤの照射光を拡散させる第２広角レンズとが設けられた
ことを特徴とする非常用照明器具。
【発明の詳細な説明】
【技術分野】
【０００１】
本発明は、非常用照明器具に関するものである。
【背景技術】
【０００２】
図４に従来の非常用照明器具を示す。この非常用照明器具は、円筒状の器具本体５０の下面を室内に露出させた状態で、天井に取り付けられる。非常用照明器具は通電時に充電される蓄電池を備え、停電などの非常時には蓄電池を電源として非常点灯用のランプ５１を点灯させている。ランプ５１は器具本体５０の下面に設けた開口５２に臨んで配置されており、開口５２の内側にはランプ５１の照射光を反射して開口５２から外側へ照射させる反射板５３が配置されている。また器具本体５０の内部には、蓄電池の充電状態を点灯状態で表示する表示用ランプ５４が配置されている。この表示用ランプ５４は反射板５３の外側に配置され、表示用ランプ５４の照射光は開口５２の外側に設けられた開口５５から外部に照射される。
【０００３】
また、この種の非常用照明器具として、光源に発光ダイオード（ＬＥＤ）を用いたものも考えられている（例えば特許文献１参照）。
【先行技術文献】
【特許文献】
【０００４】
【特許文献１】特開２００５−１２９５１７号公報
【発明の概要】
【発明が解決しようとする課題】
【０００５】
上述した従来の非常用照明器具では、表示用ランプ５４が反射板５３の外側に配置されているため、器具本体５０の下面において開口５２の外側の狭い領域に、表示用ランプ５４の照射光を外部に照射させるための開口５５が設けられていた。そのため、開口５５の大きさが開口５２に比べて非常に小さくなり、表示用ランプ５４から照射される光の範囲が狭くなるため、斜め方向から非常用照明器具を見上げた際に表示用ランプ５４の光が見えにくく、視認性が悪かった。また、表示用ランプ５４の視認性が悪いため、点検作業時に表示用ランプ５４の発光状態を確認するのに時間がかってしまい、点検作業の作業効率が低下するという問題があった。また、表示用ランプ５４の視認性が悪いことで、充電状態の変化に気付くのが遅くなるという問題もあった。
【０００６】
本発明は上記課題に鑑みて為されたものであり、その目的とするところは、表示用ＬＥＤの視認性を向上させた非常用照明器具を提供することにある。
【課題を解決するための手段】
【０００７】
上記課題を解決するために、本発明の非常用照明器具は、非常時に蓄電池を電源として点灯する非常点灯用ＬＥＤと、前記蓄電池の充電状態を点灯状態により表示する表示用ＬＥＤとが器具本体の同じ面に設けられ、前記非常点灯用ＬＥＤ及び前記表示用ＬＥＤの前側に配置されるように前記器具本体に取り付けられた透光性部材を備え、前記透光性部材の表面を平板状に形成され、前記透光性部材の内側面に、前記非常点灯用ＬＥＤの照射光を拡散させる第１広角レンズと、前記表示用ＬＥＤの照射光を拡散させる第２広角レンズとが設けられたことを特徴とする。
【発明の効果】
【０００９】
本発明によれば、表示用ＬＥＤからの照射光を広角レンズにより拡散させているので、斜め方向から非常用照明器具を見た場合でも表示用ＬＥＤの照射光が見えやすくなり、視認性が向上するという効果がある。
【図面の簡単な説明】
【００１０】
【図１】本実施形態の非常用照明器具を示し、（ａ）は外観斜視図、（ｂ）は断面図である。
【図２】同上の非常用照明器具に用いるレンズを裏側から見た外観斜視図である。
【図３】同上の非常用照明器具の概略的なブロック図である。
【図４】従来の非常用照明器具を示し、（ａ）は外観斜視図、（ｂ）は断面図である。
【発明を実施するための形態】
【００１１】
以下に非常用照明器具の実施形態を図面に基づいて説明する。
【００１２】
図３は非常用照明器具１のブロック図であり、この非常用照明器具１は、複数個（本実施形態では例えば７個）の非常点灯用ＬＥＤ２と、表示用ＬＥＤ３と、点灯回路４と、蓄電池５を主要な構成として備えている。
【００１３】
点灯回路４は商用交流電源６に接続され、商用交流電源６の通電時に蓄電池５を充電するとともに、商用交流電源６の停電時には蓄電池５を電源として非常点灯用ＬＥＤ２を点灯させる。また、点灯回路４は蓄電池５の充電状態を監視しており、例えば蓄電池５が満充電になると表示用ＬＥＤ３を点灯させ、表示用ＬＥＤ３の点灯により満充電状態を表示する。
【００１４】
次に図１及び図２を参照して非常用照明器具１の各部の構成を説明する。非常用照明器具１の器具本体１０は金属材料により略円筒状に形成されている。この器具本体１０は、天井１００に設けた丸穴１０１に下側から挿入され、下面を室内側に露出させた状態で、図示しない取付金具を用いて天井１００に固定される。
【００１５】
器具本体１０の下面には丸穴状の開口１１が設けられ、この開口１１に臨むようにして、回路基板７に実装された複数の非常点灯用ＬＥＤ２と、表示用ＬＥＤ３が配置されている。本実施形態では回路基板７に７個の非常点灯用ＬＥＤ２が３列（中央の列に３個、両側の列には２個）に分けて実装されており、隣接する非常点灯用ＬＥＤ２の間隔は略同じ間隔となっている。そして、表示用ＬＥＤ３は、纏まって配置された非常点灯用ＬＥＤ２の外側に配置されている。尚、非常点灯用ＬＥＤ２及び表示用ＬＥＤ３の個数及び配置は図１の形態に限定されるものではなく、仕様に応じて適宜変更が可能である。
【００１６】
器具本体１０の開口１１はレンズ部材２０（透光性部材）によって閉塞されており、非常点灯用ＬＥＤ２及び表示用ＬＥＤ３の前方にレンズ部材２０が配置されている。このレンズ部材２０は、例えばガラスや透光性の合成樹脂により略円板状に形成されており、非常点灯用ＬＥＤ２に対向する部位には、非常点灯用ＬＥＤ２からの照射光を拡散させて所望の照明範囲に配光する広角レンズ２１（第１広角レンズ）が一体に設けられている。またレンズ部材２０には、表示用ＬＥＤ３に対向する部位に、表示用ＬＥＤ３からの照射光を拡散させる広角レンズ２２（第２広角レンズ）が一体に設けられている。
【００１７】
ここで、通電時に点灯回路４によって蓄電池５が充電され、蓄電池５が満充電になると、点灯回路４によって表示用ＬＥＤ３が点灯され、表示用ＬＥＤ３の照射光が広角レンズ２２を介して室内側に照射される。また停電時などの非常時には、蓄電池５を電源として点灯回路４が非常点灯用ＬＥＤ２を点灯させており、非常点灯用ＬＥＤ２の照射光が広角レンズ２１を介して室内側に照射される。
【００１８】
以上説明したように本実施形態の非常用照明器具１では、非常時に蓄電池５を電源として点灯する非常点灯用ＬＥＤ２と、蓄電池５の充電状態を点灯状態により表示する表示用ＬＥＤ３とが器具本体１０の同じ面に設けられている。そして、表示用ＬＥＤ３の前方には、表示用ＬＥＤ３からの照射光を拡散させる広角レンズ２２が配置されている。
【００１９】
これにより、表示用ＬＥＤ３からの照射光を広角レンズ２２により拡散させているので、斜め方向から非常用照明器具１を見た場合でも表示用ＬＥＤ３の照射光が見えやすくなり、視認性が向上する。そして、表示用ＬＥＤ３の視認性が向上することで、点検作業時に表示用ＬＥＤ３の発光状態を短時間で確認でき、点検作業の作業効率が向上するという効果もある。また、表示用ＬＥＤ３の視認性が向上することで、充電状態の変化をいち早く発見でき、電池交換などのメンテナンス対応を早期に実施することができる。また、表示用ＬＥＤ３がある程度の大きさに見えるように、広角レンズ２２の配光特性を設計することで、表示用ＬＥＤ３の表示を見やすくすることができる。
【００２０】
さらに、本実施形態の非常用照明器具１では、非常点灯用ＬＥＤ２の前側に、非常点灯用ＬＥＤ２を覆うようにして広角レンズ２１が配置され、この広角レンズ２１（透光性部材）と表示用ＬＥＤ３の前方に配置された広角レンズ２２とが一体に成形されている。
【００２１】
これにより、非常点灯用ＬＥＤ２の前方に配置された広角レンズ２１は、表示用ＬＥＤ３の前方に配置された広角レンズ２２と異なる配光に設計できるので、２種類の広角レンズ２１，２２により最適な配光特性を得ることができる。そして、広角レンズ２１は広角レンズ２２と一体に成形されているので、部品点数を削減できるとともに、組立工数の削減を図ることができる。
【００２２】
尚、本実施形態では非常点灯用ＬＥＤ２と表示用ＬＥＤ３とで広角レンズ２１，２２の配光特性を異ならせているが、非常点灯用ＬＥＤ２の前方に配置された広角レンズ２１と、表示用ＬＥＤ３の前方に配置された広角レンズ２２とで配光特性を同じにしてもよい。
【００２３】
また、本実施形態では表示用ＬＥＤ３の前方に広角レンズ２１を配置しているが、透光性部材をレンズに限定するものではく、透光性材料（例えばガラスや透光性樹脂）により形成された透光板を表示用ＬＥＤ３の前方に配置してもよい。
【符号の説明】
【００２４】
１  非常用照明器具
２  非常点灯用ＬＥＤ
３  表示用ＬＥＤ
５  蓄電池
１０  器具本体
２０  レンズ部材（透光性部材）
２１，２２  広角レンズ
【図１】
0005635884.tif 000002
【図２】
0005635884.tif 000003
【図３】
0005635884.tif 000004
【図４】
0005635884.tif 000005